【事件の表示】
　特許第３３７２１５３号「ビデオカメラのゴースト光規制部」の請求項１、２に係る特許に対する特許異議の申立てについて、次のとおり決定する。
【結　論】
　訂正を認める。
　特許第３３７２１５３号の請求項１に係る特許を維持する。
【理　由】
１　手続の経緯
 　特許第３３７２１５３号の請求項１、２に係る発明についての出願は、平成７年１０月３１日に特許出願され、平成１４年１１月２２日にその特許権の設定登録がなされ、その後、小塚浩（以下「申立人Ａ」という。）及び村田博（以下「申立人Ｂ」という。）からそれぞれ特許異議の申立てがなされ、取消理由通知がなされ、その指定期間内である平成１６年８月１０日に訂正請求がなされたものである。
　
２　訂正の適否についての判断
（１）　訂正事項
 　請求項１、２における記載を単一の請求項として、訂正請求書に添付した全文訂正明細書のとおり「被写体を撮影し、移動自在なレンズを含んで構成される撮像レンズ群と、該撮像レンズ群で撮影した被写体像の高域成分による偽似信号を防ぐ光学ローパスフィルタと、該光学ローパスフィルタを通過した被写体像を光電変換する撮像素子とをカメラ鏡筒内に光軸を合わせて上記の順に配設したビデオカメラにおいて、
　前記光学ローパスフィルタの入射面の直前に設けられるとともに、前記カメラ鏡筒と一体に、かつ前記カメラ鏡筒と単一な部材としてゴースト光規制部を設け、前記撮影レンズ群を通して入射したゴースト光が前記光学ローパスフィルタに入射するのを防止する構成である一方、
　前記ゴースト光規制部は、前記光学ローパスフィルタの外側に沿いながら略矩形状を呈して前記ゴースト光の入射側を狭く開口し、且つ、出射側を前記光学ローパスフィルタ面に接して斜めに広く開口したナイフエッジ面に形成したことを特徴とするビデオカメラのゴースト光規制部。」と訂正する。
　また、特許請求の範囲の訂正に伴い、発明の詳細な説明の項を訂正請求書に添付した全文訂正明細書のとおり訂正するものである。
　
（２）　訂正の目的の適否、新規事項の有無及び拡張・変更の存否
　上記特許請求の範囲の訂正は、特許請求の範囲の減縮を目的とし、新規事項の追加に該当せず、実質上特許請求の範囲を拡張し、又は変更するものではない。
 　また、発明の詳細な説明の訂正は、特許請求の範囲と整合を取るためのものであり、明瞭でない記載の釈明を目的とし、新規事項の追加に該当せず、実質上特許請求の範囲を拡張し、又は変更するものではない。
　
（３）　むすび
　以上のとおりであるから、上記訂正は、特許法１２０条の４第２項の規定及び３項で準用する１２６条２項、３項の規定に適合するので、当該訂正を認める。
 
３　特許異議の申立てについての判断
（１）　申立ての理由の概要
　申立人Ａは、請求項１及び２に係る発明は、　実願平１−１３９５５８号（実開平３−７９５６９号）のマイクロフィルム、特開昭６３−３０８３７５号公報、特開平４−１１３２３５号公報を基に当業者が容易に発明をすることができたものであり、特許法２９条２項の規定により、特許を受けることができないものであるから、特許を取り消すべきと主張している。 
 　申立人Ｂは、特開平５−１９６８５４号公報、特開平４−８１７０８号公報、特開平５−１３０４６９号公報、特開平６−２７３７４号公報、特開平７−２０５９０号公報、実願平１−１４４８２号（実開平２−１０７１１１号）のマイクロフィルムを基に当業者が容易に発明をすることができたものであり、特許法２９条２項の規定により、特許を受けることができないものであるから、特許を取り消すべきと主張している。 
　さらに、両申立人は、刊行物記載の発明と同一であるとして特許法２９条１項３号をも主張している。
　
（２）　訂正明細書の請求項１に係る発明
　訂正明細書の請求項１に係る発明は、その特許請求の範囲の請求項１に記載された事項により特定される前述のとおりのものである。（以下、「本件発明」という。）
　
（３）　刊行物記載の発明
　実願平１−１３９５５８号（実開平３−７９５６９号）のマイクロフィルムには、ビデオカメラ等における光学フィルター部及び固体撮像素子パッケージの取付構造の発明が記載されている。
　特開昭６３−３０８３７５号公報には、レンズマウント部材と一体に形成された逆テーパ条の内壁を備えた固体撮像素子の発明が記載されている。
　特開平４−１１３２３５号公報には、その１６図にフィルタ保持部が形成され、前面側が逆テーパ状に形成された発明が記載されている。
　特開平５−１９６８５４号公報には、図面上、入射側が狭く出射側に向かって斜めに広く形成されたエッジ形状の発明が記載されている。
　特開平４−８１７０８号公報には、ＣＣＤとネジ結合するためのマウントが、入射側が狭く出射側が広いエッジとなった図が示された発明が記載されている。
　特開平５−１３０４６９号公報には、光学フィルタの前面に設けた画枠プレートの開口部を矩形状とした発明が記載されている。
　特開平６−２７３７４号公報には、レンズ保持枠と一体にフレア光をカットする遮光絞りを設けた発明が記載されている。
　特開平７−２０５９０号公報には、鏡筒と一体に迷光を遮断する遮光枠を設けた発明が記載されている。
　実願平１−１４４８２号（実開平２−１０７１１１号のマイクロフィルム）には、後群支持枠と一体に有害光速をカットする遮光マスクを設けた発明が記載されている。
　
(４)　対比・判断
　本件発明の特徴点は、特に、特許請求の範囲の記載の内、「ゴースト光規制部は、前記光学ローパスフィルタの外側に沿いながら略矩形状を呈して前記ゴースト光の入射側を狭く開口し、且つ、出射側を前記光学ローパスフィルタ面に接して斜めに広く開口したナイフエッジ面に形成」することにより、ゴースト光を規制したものである。
　本件発明と上記各刊行物に記載の発明とを対比すると、特許請求の範囲の構成を分解した個々の構成は、各刊行物のいずれかに記載又は示唆されているといえるが、ゴースト光を規制するという課題を意識して各構成が示されているとみることはできず、それぞれの構成を組合せることについても、ゴースト光あるいは類似の課題に関する記載がないことから、動機付けとなるものが認められず、組合せを当業者が容易にできたとはいえない。
　さらに、図示されているだけで当業者に自明の事項も、一般に多数存在することは認められるが、「ローパスフィルタの外側に沿って」、「略矩形状」、「ローパスフィルタ面に接して」及び「ナイフエッジ面」の構成等が有機的に結びつけられた本件発明の構成まで、各刊行物の図面等から当業者に自明の事項であるとすることはできない。
　そして、本件発明は当該構成によりゴースト光を効果的に規制できるという顕著な効果を奏するものであり、本件発明と各刊行物に記載された他の事項についての検討、判断を示すまでもなく、また、他の異議申立の理由を検討するまでもなく、本件発明は前記各刊行物に記載された発明と同一、又は同発明に基づいて当業者が容易に発明をすることができたものとはいえない。
 
４　むすび
 　以上のとおりであるから、特許異議申立ての理由及び証拠によっては本件訂正された請求項１に係る発明の特許を取り消すことはできない。
　よって、結論のとおり決定する。
【異議決定日】
平成１６年９月１３日（２００４．９．１３）
【訂正の要旨】
審決（決定）の【理由】欄参照。
（５４）【発明の名称】
ビデオカメラのゴースト光規制部
（５７）【特許請求の範囲】
　【請求項１】
　被写体を撮影
し、移動自在なレンズを含んで構成される
　前記光学ローパスフィルタの入射面の直前に設けられるとともに、前記カメラ鏡筒と一体に、
かつ、前記カメラ鏡筒と単一な部材として
構成である一方、
　前記ゴースト光規制部は、前記光学ローパスフィルタの外側に沿いながら
略矩形状を呈して
面に接して
【発明の詳細な説明】
　【０００１】
　【発明の属する技術分野】
　本発明は、被写体の撮影時に、撮像レンズ群を通して入射した有害なゴースト光を規制するゴースト光規制部を、カメラ鏡筒内で光学ローパスフィルタを取り付ける部位の前方にカメラ鏡筒と一体にマスク形状に設けて構成したビデオカメラのゴースト光規制部に関するものである。
　【０００２】
　【従来の技術】
　一般的に、カメラ一体型磁気記録再生装置などのビデオカメラは、撮影レンズで撮影した被写体を内部に設けたＶＴＲにより磁気テープ上に記録でき、且つ、小型軽量に携帯性良く構成されている。
　【０００３】
　図４は一般的なビデオカメラを示した斜視図、図５は一般的なビデオカメラを用いて被写体を撮影した時に画面内の下部にゴースト光の影響が現れた状態を示した図である。
　【０００４】
　図４に示したような一般的なビデオカメラ１を用いて、屋外で被写体Ｈを撮影した時に、図５に示したように画面内に太陽光Ｓなどを入れて被写体Ｈを撮影すると、太陽光Ｓから不要なノイズ光となるゴースト光Ｇがシャワー状に出ているので、被写体Ｈを撮影した画面の下部にゴースト光Ｇの影響が現れることがあり、このゴースト光Ｇにより画面が大変見苦しくなってしまう場合がある。尚、上記したゴースト光Ｇとは、一般的に目的の映像に対して不要なノイズ光を言う。
　【０００５】
　【発明が解決しようとする課題】
　ところで、ビデオカメラ１を用いた時に、ゴースト光Ｇの影響を画面内に発生させない方法として、
１）
２）
３）
　【０００６】
　しかしながら、上記
１）
　【０００７】
　また、上記
２）
　【０００８】
　更に、上記
３）
　【０００９】
　そこで、被写体の撮影時に、ゴースト光の影響を画面内に発生させずに簡単な構造で達成できるビデオカメラのゴースト光規制部が望まれている。
　【００１０】
　【課題を解決するための手段】
　本発明は上記課題に鑑みてなされたものであり、被写体を撮影
し、移動自在なレンズを含んで構成される
　前記光学ローパスフィルタの入射面の直前に設けられるとともに、前記カメラ鏡筒と一体に、
かつ、前記カメラ鏡筒と単一な部材として
構成である一方、
略矩形状を呈して
面に接して
　
【００１１】
　【発明の実施の形態】
　以下に本発明に係わるビデオカメラのゴースト光規制部の一実施例を図１乃至図３を参照して詳細に説明する。
　
【００１２】
　図１は本発明に係わるビデオカメラのゴースト光規制部を説明するために、ビデオカメラのカメラ鏡筒内の構成を示した断面図、図２（Ａ），（Ｂ）は同ビデオカメラのゴースト光規制部を説明するために、ビデオカメラのカメラ鏡筒を示した断面図，右側面図、図３は同ビデオカメラのゴースト光規制部の作用を説明するための模式図である。
　
【００１３】
　図１に示した如く、ビデオカメラ１は、被写体Ｈを撮影する撮像レンズ群１０（１１〜１４）と、撮像レンズ群１０で撮影した被写体像の高域成分による偽似信号を防ぐ光学ローパスフィルタ２０と、光学ローパスフィルタ２０を通過した被写体像を光電変換する撮像素子２２とがカメラ鏡筒２内に光軸Ｋを合わせて上記の順に配設されている。
　
【００１４】
　上記撮像レンズ群１０は、被写体Ｈ側でカメラ鏡筒２内の前方に固設した撮像レンズ１１と、撮像レンズ１１の後方でカメラ鏡筒２内を光軸方向に移動自在なズームレンズ１２と、ズームレンズ１２の後方に固設した固定マスターレンズ１３と、固定マスターレンズ１３の後方でカメラ鏡筒２内を光軸方向に移動自在なフォーカスレンズ１４とで構成されている。
　
【００１５】
　また、カメラ鏡筒２内でフォーカスレンズ１４の後方には、光学ローパスフィルタ２０が固設されている。この光学ローパスフィルタ２０は、カメラ鏡筒２の後方部位を開口した後面２ｃ側から挿入されて、カメラ鏡筒２内に設けた光学ローパスフィルタ２０を取り付ける部位２ｂに固定されている。また、光学ローパスフィルタ２０を取り付ける部位２ｂの前方には、本発明の要部となる後述のゴースト光規制部２ａが形成されている。上記光学ローパスフィルタ２０は、撮像レンズ群１０により撮影した被写体像の高域成分による偽似信号を防ぐために設けたものである。
　
【００１６
　更に、光学ローパスフィルタ２０の後方には、ラバー２１を介して撮像素子２２が固設されている。この撮像素子２２は接着材などを用いて支持板２３に予め固着されており、この状態で後面２ｃ側から撮像素子２２をラバー２１を介して光学ローパスフィルタ２０側に押し付けた後、支持板２３をカメラ鏡筒２の後面２ｃに支持している。そして、撮像レンズ群１０により撮影した被写体像は、光学ローパスフィルタ２０を通過した後に撮像素子２２上に結像されて、この撮像素子２２により被写体像が光電変換されている。
　
【００１７】
　ここで、本発明の要部となるビデオカメラのゴースト光規制部について、図１乃至図３を併用して説明する。
　
【００１８】
　本発明の要部となるビデオカメラのゴースト光規制部は、被写体の撮影時に、撮像レンズ群１０を通して入射した有害なゴースト光Ｇ（図３）を規制するためのゴースト光規制部２ａを、カメラ鏡筒２内で光学ローパスフィルタ２０を取り付ける部位２ｂの前方にカメラ鏡筒２と一体に略矩形のマスク形状に設けている。
　
【００１９】
　即ち、カメラ鏡筒２内に設けたゴースト光規制部２ａは、撮像レンズ群１０により撮影した被写体像が光学ローパスフィルタ２０に到達できるように光学ローパスフィルタ２０の外側に沿いながら略矩形のマスク形状に開口されており、且つ、ゴースト光Ｇの入射側を狭く開口し、且つ、出射側を光学ローパスフィルタ２０側に向かって斜めに広く開口したナイフエッジ面２ａ１に形成されている。
　
【００２０】
　従って、図３に示した如く、被写体Ｈの撮影時に撮像レンズ群１０を通して入射した有害なゴースト光Ｇは、光学ローパスフィルタ２０の前方に形成したマスク形状のゴースト光規制部２ａで規制されてしまい、これによりゴースト光Ｇが光学ローパスフィルタ２０及び撮像素子２２に入射することを防止でき、被写体像は撮像素子２２上に良好に結像される。この際、略矩形でマスク形状のゴースト光規制部２ａは、ゴースト光Ｇの入射側を狭く開口し、且つ、出射側を光学ローパスフィルタ２０側に向かって斜めに広く開口したナイフエッジ面２ａ１に形成されているため、ゴースト光Ｇがナイフエッジ面２ａ１で乱反射されないので、ゴースト光Ｇは光学ローパスフィルタ２０に入射することがなくなる。
　
【００２１】
　また、ゴースト光Ｇの一部は、光学ローパスフィルタ２０で反射された後、フォーカスレンズ１４により再度反射されているものの、再度反射されたゴースト光Ｇもゴースト光規制部２ａで当然規制されてしまう。
　
【００２２】
　尚、実施例では、ゴースト光規制部２ａは、光学ローパスフィルタ２０の外側に沿いながら略矩形のマスク形状に形成して説明したが、これに限ることなく、太陽光によるゴースト光Ｇが発生し易い方向のみにゴースト光規制部２ａを形成しても良く、例えば図５に示した画面の下側にゴースト光Ｇの影響が現れ易い場合には、これに対応する方向部位にのみゴースト光規制部２ａを形成する方法も考えられる。
　
【００２３】
　【発明の効果】
　以上詳述した本発明に係わるビデオカメラのゴースト光規制部において、被写体の撮影時に、撮像レンズ群を通して入射した有害なゴースト光を規制するゴースト光規制部を、前記光学ローパスフィルタの入射面の直前に設けられるとともに、前記カメラ鏡筒と一体に、
かつ、前記カメラ鏡筒と単一な部材として
構成である一方、
略矩形状を呈して
面に接して
ことは勿論のこと、特に、
光学ローパスフィルタの外側に沿いながら略矩形状を呈して前記ゴースト光の入射側を狭く開口し、且つ、出射側を前記光学ローパスフィルタ面に接して
【図面の簡単な説明】
　【図１】本発明に係わるビデオカメラのゴースト光規制部を説明するために、ビデオカメラのカメラ鏡筒内の構成を示した断面図である。
　【図２】（Ａ），（Ｂ）は本発明に係わるビデオカメラのゴースト光規制部を説明するために、ビデオカメラのカメラ鏡筒を示した断面図，右側面図である。
　【図３】本発明に係わるビデオカメラのゴースト光規制部の作用を説明するための模式図である。
　【図４】一般的なビデオカメラを示した斜視図である。
　【図５】一般的なビデオカメラを用いて被写体を撮影した時に画面内の下部にゴースト光の影響が現れた状態を示した図である。
　【符号の説明】
　１…ビデオカメラ、２…カメラ鏡筒、２ａ…ゴースト光規制部、２ａ１…ナイフエッジ面、２ｂ…光学ローパスフィルタを取り付ける部位、１０…撮像レンズ群、１１…撮像レンズ、１２…ズームレンズ、１３…固定マスターレンズ、１４…フォーカスレンズ、２０…光学ローパスフィルタ、２２…撮像素子、Ｈ…被写体、Ｇ…ゴースト光、Ｋ…光軸。